(57)【要約】【課題】  身体に装着したオムツの上から簡単に装着すること、オムツの装着状態を良くすること、尿漏れや便漏れを確実に防止することを可能とするオムツカバーを提供する。【解決手段】  オムツカバー１０は、臀部側に当てるカバー本体部１１と、前記カバー本体部１１の右側から延びて右ウェストから腹部にかけて当てる右ウェスト部１２と、前記カバー本体部１１の左側から延びて左ウェストから腹部にかけて当てる左ウェスト部１３と、を備える。さらに、前記カバー本体部１１の下側から延びて股間から腹部にかけて当てる股間当て部１４と、前記カバー本体部１１の下側から延びて右大腿の外側から腹部にかけて当てる右大腿当て部１５と、前記カバー本体部１１の下側から延びて左大腿の外側から腹部にかけて当てる左大腿当て部１６と、を備える。【選択図】  図１
2016028617.tif 000002
【特許請求の範囲】
【請求項１】
臀部側に当てるカバー本体部と、
前記カバー本体部の右側から延びて右ウェストから腹部にかけて当てる右ウェスト部と、
前記カバー本体部の左側から延びて左ウェストから腹部にかけて当てる左ウェスト部と、
前記カバー本体部の下側から延びて股間から腹部にかけて当てる股間当て部と、
前記カバー本体部の下側から延びて右大腿の外側から腹部にかけて当てる右大腿当て部と、
前記カバー本体部の下側から延びて左大腿の外側から腹部にかけて当てる左大腿当て部と、
を備えたことを特徴とするオムツカバー。
【請求項２】
前記右ウェスト部と前記左ウェスト部を相互に固定する第一固定具を備え、前記股間当て部、前記右大腿当て部、前記左大腿当て部の各先端側を、少なくとも前記右ウェスト部、前記左ウェスト部のいずれかに相互に固定する第二固定具を備えたことを特徴とする請求項１に記載のオムツカバー。
【請求項３】
前記カバー本体部の右側から延びて前記右ウェスト部の外側から腹部にかけてカバーする右カバー部を備えたことを特徴とする請求項１又は２に記載のオムツカバー。
【請求項４】
前記カバー本体部の左側から延びて前記左ウェスト部の外側から腹部にかけてカバーする左カバー部を備えたことを特徴とする請求項１又は２に記載のオムツカバー。
【請求項５】
前記カバー本体部の右側から延びて、前記右ウェスト部、前記左ウェスト部、前記右カバー部、前記左カバー部のいずれかの外側から押えるための右押え部と、前記カバー本体部の左側から延びて、前記右ウェスト部、前記左ウェスト部、前記右カバー部、前記左カバー部のいずれかの外側から押えるための左押え部と、を備えたことを特徴とする請求項１〜４のうち、何れか１項に記載のオムツカバー。
【請求項６】
前記右押え部と前記左押え部を相互に固定する第三固定具を備えたことを特徴とする請求項５に記載のオムツカバー。
【請求項７】
前記右押え部と前記左押え部は、複数の帯状体で構成することを特徴とする請求項５又は６に記載のオムツカバー。
【請求項８】
前記股間当て部、前記右大腿当て部、前記左大腿当て部は、帯状体であることを特徴とする請求項１〜７のうち、何れか１項に記載のオムツカバー。
【発明の詳細な説明】
【技術分野】
【０００１】
本発明は、オムツカバーに関し、例えば紙オムツなどのオムツ類を身体にフィットさせるために使用されるオムツカバーに関する。
【背景技術】
【０００２】
従来、寝たきりの人を介護するために、例えば紙オムツなどの使い捨てのオムツが使用されている。あるいは、レンタルオムツなどのように使い捨てではないオムツも使用されている。汎用的に使用されるオムツは、種々の身体の大きさに合わせたり、フィット性を考慮して柔軟性を持たせ、全体の大きさにも余裕をもたせて作られている。また、尿漏れを防ぐためにウェストや両股部にギャザーを設けてゴムで絞っている。
そのために、オムツ全体が大きく膨らんでしまい、フィット感が無いために着心地が悪い。また、装着状態によっては、オムツが身体にフィットしていないために尿漏れを確実に防ぐことができないことがある。さらに、老齢になるにつれて臀部等の肉量が減ってくるので、より一層、オムツを身体にフィットさせることが難しくなる。それに伴って尿漏れや便漏れなどを防ぐことが難しくなる。
【０００３】
上記の問題点を改善するために、つまりオムツの装着状態を良くしたり、尿漏れや便漏れなどの防止を改善したりするために、種々のオムツカバーが開発されている。
例えば、特許文献１記載の発明は、前身頃と後身頃とを左右それぞれ１箇所以上で接続具にて固定することで、体に装着することができるようにしたオムツカバーである。しかも、前記接続具が、バックルとベルトの組み合わせであって、かつ前記ベルトの素材が平ゴムである。
【０００４】
特許文献２記載の発明は、特に大臀筋が減少して仙骨が臀部よりも外側へ突出した状態になった人に対し適するように考案されたオムツカバーであり、オムツを装着した時、便が背中側へ回り込むことなく所定位置に留まらせることができるように工夫されている。当該発明では、人が仰臥及び座位状態における臀部を床側から押し上げる臀部対応弾性部材と、前記臀部対応弾性部材よりも人体側に配置され、仙骨及び臀部に対応する位置において生体を押圧から保護する保護手段が設けられている仙骨保護用弾性部材と、前記臀部対応弾性部材と前記臀部対応弾性部材とを貫いて形成された排便筒部とを備えている。
【先行技術文献】
【特許文献】
【０００５】
【特許文献１】特開２００７−１４７４３公報
【特許文献２】特開２０１２−２２８３２０公報
【発明の概要】
【発明が解決しようとする課題】
【０００６】
特許文献１記載の発明は、オムツカバーの装着を容易にするために、前身頃と後身頃との接続具を改善することを主な目的としている。前記接続具がバックルとベルトの組み合わせとすることで、オムツカバーの基本形状をより体にフィットする立体形状にできるとしている。しかしながら、前記接続具によって身体の腹部回りを調整するとしても、股下マチ部（股間の部分）のフィット状態を調整することは簡単ではなかった。たとえ股間の部分を上に持ち上げてから接続具によって締め付けたとしても、股下マチ部の基本形状を大きく変形させてフィット感を向上させることには限界があり、簡単ではない。
【０００７】
特許文献２記載の発明では、臀部対応弾性部材や仙骨保護用弾性部材や排便筒部などのように特別な部材を備える必要があるので、一般的な使用には不向きであり、製造コストが高くなるという課題があった。利用対象としては、寝たきりとなって大臀筋が減少して仙骨が臀部よりも外側へ突出した状態となった人向けであり、専ら、褥瘡（床擦れ）の発生防止や治癒のために使用される。
そのため、簡単な構造であっても、オムツ内の尿や便が背中側へ回り込むことを防止できるオムツカバーが求められていた。
【０００８】
本発明はこのような事情に鑑みてなされたものであって、身体に装着したオムツの上から簡単に装着すること、オムツの装着状態を良くすること、並びに、尿漏れや便漏れを確実に防止すること等を、可能ならしめるオムツカバーを提供することを目的とする。
【課題を解決するための手段】
【０００９】
請求項１記載の発明は、臀部側に当てるカバー本体部と、前記カバー本体部の右側から延びて右ウェストから腹部にかけて当てる右ウェスト部と、前記カバー本体部の左側から延びて左ウェストから腹部にかけて当てる左ウェスト部と、前記カバー本体部の下側から延びて股間から腹部にかけて当てる股間当て部と、前記カバー本体部の下側から延びて右大腿の外側から腹部にかけて当てる右大腿当て部と、前記カバー本体部の下側から延びて左大腿の外側から腹部にかけて当てる左大腿当て部と、を備えたことを特徴とする。
【００１０】
請求項２記載の発明は、上記１項において、前記右ウェスト部と前記左ウェスト部を相互に固定する第一固定具を備え、前記股間当て部、前記右大腿当て部、前記左大腿当て部の各先端側を、少なくとも前記右ウェスト部、前記左ウェスト部のいずれかに相互に固定する第二固定具を備えたことを特徴とする。
【００１１】
請求項３記載の発明は、上記１項又は２項において、前記カバー本体部の右側から延びて前記右ウェスト部の外側から腹部にかけてカバーする右カバー部を備えたことを特徴とする。
【００１２】
請求項４記載の発明は、上記１項又は２項において、前記カバー本体部の左側から延びて前記左ウェスト部の外側から腹部にかけてカバーする左カバー部を備えたことを特徴とする。
【００１３】
請求項５記載の発明は、上記１〜４項のうち、何れか１項において、前記カバー本体部の右側から延びて、前記右ウェスト部、前記左ウェスト部、前記右カバー部、前記左カバー部のいずれかの外側から押えるための右押え部と、前記カバー本体部の左側から延びて、前記右ウェスト部、前記左ウェスト部、前記右カバー部、前記左カバー部のいずれかの外側から押えるための左押え部と、を備えたことを特徴とする。
【００１４】
請求項６記載の発明は、上記５項において、前記右押え部と前記左押え部を相互に固定する第三固定具を備えたことを特徴とする。
【００１５】
請求項７記載の発明は、上記５項又は６項において、前記右押え部と前記左押え部は、複数の帯状体で構成することを特徴とする。
【００１６】
請求項８記載の発明は、上記１〜７項のうち、何れか１項において、前記股間当て部、前記右大腿当て部、前記左大腿当て部は、帯状体であることを特徴とする。
【発明の効果】
【００１７】
本発明によれば、オムツカバーは、身体に装着したオムツの上からカバー本体部、右ウェスト部、左ウェスト部を腹部に巻くことで、オムツを身体のウェスト回りにおいて身体にフィットさせることができる。さらに、股間当て部、右大腿当て部、左大腿当て部にて、身体の股間から腹部にかける方向と、右大腿の外側から腹部にかける方向と、左大腿の外側から腹部にかける方向において前記オムツを身体にフィットさせることができる。
すなわち、身体に装着したオムツの上から簡単に装着することができ、オムツの装着状態（フィット感）を良くすることができる。オムツが全体的に身体にフィットするので、尿漏れや便漏れの防止を確実ならしめることが可能となる。
また、右カバー部あるいは左カバー部をウェストの外側から巻いてカバーし、右押え部と左押え部にて押えるので、オムツの装着状態（フィット感）をさらに良くすることができる。それに伴って、尿漏れや便漏れをより確実に防止することができる。
【図面の簡単な説明】
【００１８】
【図１】本発明に係るオムツカバーにおける一つの実施形態を示す平面図である。
【図２】図１のオムツカバーを身体に装着した状態を示す斜視図である。
【図３】本発明に係るオムツカバーにおける一つの実施形態を示す平面図である。
【図４】図３のオムツカバーの一部をたたんだ状態を示す斜視図である。
【図５】図３のオムツカバーを身体に装着した状態を示す斜視図である。
【図６】図３のオムツカバーにおける他の実施形態を示す平面図である。
【図７】図３のオムツカバーにおける別の実施形態を示す平面図である。
【発明を実施するための形態】
【００１９】
以下、本発明の第一の実施形態に係るオムツカバーについて図面を参照して説明する。
図１は、本発明に係るオムツカバー１０の一つの実施形態を示す全体の平面図である。図２は、身体に着けたオムツ５０（例えば使い捨てのオムツ）の上から図１におけるオムツカバー１０を装着した時の状態を示す斜視図である。
【００２０】
第一の実施形態のオムツカバー１０は、人の身体に装着したオムツ５０を、よりいっそう身体にフィットさせるためのものである。オムツカバー１０の材料としては、軽くしたり、洗濯時に乾燥しやすくしたりするために、さらし生地などの布地を使用しているが、特に限定されない。なお、前記オムツ５０としては、例えば使い捨ての紙オムツ、使い捨てではないレンタルオムツ、その他の形態のオムツなどがある。
オムツカバー１０は、図１に示すように、基本的に、カバー本体部１１と、右ウェスト部１２と、左ウェスト部１３と、股間当て部１４と、右大腿当て部１５と、左大腿当て部１６とを備える。なお、本実施形態における上下左右とは、オムツカバー１０を装着する人から視た状態で表現している。
【００２１】
前記カバー本体部１１は、人の身体の臀部側に当てる面積を有する。また、カバー本体部１１の上部は、身体の腰部に当たる縁にギャザー１７を設けてゴムで絞っている。それによって、身体の大きさが多少異なる人であっても腰の部分にフィットするようになっている。
【００２２】
右ウェスト部１２は、カバー本体部１１の右側から延びて右ウェストから腹部にかけて当てるものである。一方、左ウェスト部１３は、カバー本体部１１の左側から延びて左ウェストから腹部にかけて当てるものである。
したがって、図２に示すように、カバー本体部１１、右ウェスト部１２、左ウェスト部１３で、身体のウェストを巻くようにして装着すると、右ウェスト部１２の先端側と左ウェスト部１３の先端側は、腹部側にて重ね合わさることになる。
【００２３】
また、右ウェスト部１２と左ウェスト部１３は、上記の重ね合わせ部分で相互に固定するための第一固定具２１を備えている。前記第一固定具２１は、本実施形態ではマジックテープ（登録商標）などのような面ファスナーを使用しているが、特に限定されない。
例えば、右ウェスト部１２の表地側に面ファスナー２１ａを設け、左ウェスト部１３の裏地側に面ファスナー２１ｂを前記面ファスナー２１ａに対して着脱可能に設けている。第一固定具２１を構成する面ファスナー２１ａと面ファスナー２１ｂの位置や大きさや数は、身体の大きさが異なる人に対して幅広く対応できるように配置することができる。
なお、図１および図２では、右ウェスト部１２と左ウェスト部１３の重ね合わせを大きくしているが、蒸れを少なくするために重ね合わせ代を少なくし、身体の腹部のほぼ中央で重ね合わせるように配置することができる。また、右ウェスト部１２と左ウェスト部１３の重ね合わせ方は、どちらを表側にしてもよい。
【００２４】
股間当て部１４は、カバー本体部１１の下側から延びて股間から腹部にかけて当てるものである。なお、股間当て部１４は、カバー本体部１１の下側のほぼ中央に配置されているとともに、オムツ５０の股間に当てられた部分を覆うだけの幅寸法を有する帯状体であることが望ましいが、特に限定されない。
【００２５】
右大腿当て部１５は、カバー本体部１１の下側から延びて右大腿の外側から腹部にかけて当てるものである。なお、右大腿当て部１５は、カバー本体部１１の下側の右側に配置し、ある程度の幅寸法を有する帯状体であることが望ましいが、例えば紐状などの他の形態であってもよく、特に限定されない。また、右大腿当て部１５は、図２に示すように身体の腹部の左側へ当てるので、右大腿当て部１５の長さが前述の股間当て部１４より長く形成している。
【００２６】
左大腿当て部１６は、カバー本体部１１の下側から延びて左大腿の外側から腹部にかけて当てるものである。なお、左大腿当て部１６は、カバー本体部１１の下側の左側に配置し、ある程度の幅寸法を有する帯状体であることが望ましいが、例えば紐状などの他の形態であってもよく、特に限定されない。また、左大腿当て部１６は、図２に示すように身体の腹部の右側へ当てるので、左大腿当て部１６の長さが前述の股間当て部１４より長く形成している。
【００２７】
また、上記の股間当て部１４、右大腿当て部１５、左大腿当て部１６の先端側は、少なくとも右ウェスト部１２、左ウェスト部１３のいずれかに相互に固定する第二固定具２２を備えている。前記第二固定具２２は、本実施形態ではマジックテープ（登録商標）などのような面ファスナーを使用しているが、特に限定されない。
例えば、図１では、左ウェスト部１３の表地側に面ファスナー２２ａを設け、股間当て部１４の先端側の裏地側に面ファスナー２２ｂを前記面ファスナー２２ａに対して着脱可能に設けている。さらに、右大腿当て部１５の先端側の裏地側に面ファスナー２２ｃを前記面ファスナー２２ａに対して着脱可能に設けている。さらに、左大腿当て部１６の先端側の裏地側に面ファスナー２２ｄを前記面ファスナー２２ａに対して着脱可能に設けている。
【００２８】
なお、第二固定具２２を構成する面ファスナー２２ａ、面ファスナー２２ｂ、面ファスナー２２ｃ、面ファスナー２２ｄの位置や大きさや数は、身体の大きさが異なる人に対して幅広く対応できるように配置することができる。
例えば、図１および図２では、左ウェスト部１３が右ウェスト部１２の表側になるように重ね合わせているが、その逆に右ウェスト部１２を表側にする場合は、面ファスナー２２ａが右ウェスト部１２の表地側に設けられる。また、蒸れを少なくするために右ウェスト部１２と左ウェスト部１３の重ね合わせ代を少なくし、身体の腹部のほぼ中央で重ね合わせるように配置した場合、面ファスナー２２ａは、右ウェスト部１２と左ウェスト部１３の両方の表面側に設けることができる。
【００２９】
次に、上記の第一の実施形態のオムツカバー１０における作用について図面を参照して説明する。
人の身体に、例えば使い捨ての紙オムツ５０を装着する。次いで、図１のオムツカバー１０におけるカバー本体部１１を前記紙オムツ５０の上から臀部側に当てる。その状態で、図２に示すように右ウェスト部１２を右ウェストから腹部にかけて巻き、左ウェスト部１３を左ウェストから腹部にかけて巻く。左ウェスト部１３の先端側を右ウェスト部１２の先端側に重ね合わせ、第一固定具２１を構成する左ウェスト部１３の裏地側の面ファスナー２１ｂを右ウェスト部１２の表地側の面ファスナー２１ａに貼り付けて装着する。これによって、紙オムツ５０は、身体のウェスト回りにおいて身体にフィットする。
【００３０】
次に、股間当て部１４を股間から腹部にかけて当てて第二固定具２２によって固定する。すなわち、股間当て部１４の先端側の裏地側の面ファスナー２２ｂを前記面ファスナー２２ａに貼り付けて装着する。
さらに、右大腿当て部１５を右大腿の外側から腹部にかけて当てる。この時、右大腿当て部１５の先端側は、図２に示すように股間当て部１４の上から交差するようにして身体の腹部の左側へ当てて第二固定具２２によって固定する。すなわち、右大腿当て部１５の裏地側の面ファスナー２２ｃを前記面ファスナー２２ａに貼り付けて装着する。
また、左大腿当て部１６を左大腿の外側から腹部にかけて当てる。この時、左大腿当て部１６の先端側は、図２に示すように股間当て部１４および右大腿当て部１５の上から交差するようにして身体の腹部の右側へ当てて第二固定具２２によって固定する。すなわち、左大腿当て部１６の裏地側の面ファスナー２２ｄを前記面ファスナー２２ａに貼り付けて装着する。
【００３１】
以上のように、紙オムツ５０は、身体の股間から腹部にかける方向と、右大腿の外側から腹部にかける方向と、左大腿の外側から腹部にかける方向において身体にフィットする。
このため、オムツカバー１０を、身体に装着したオムツ５０の上から簡単に装着することができるようになり、オムツ５０のフィット感を向上させることができる。また、オムツ５０は、全体的に身体にフィットするので、尿漏れや便漏れをより確実に防止することが可能である。
【００３２】
次に、本発明の第二の実施形態に係るオムツカバー３０について図面を参照して説明する。
図３は、本発明に係るオムツカバー３０の一つの実施形態を示す全体の平面図である。図４は、第一の実施形態のオムツカバー１０と同様の部材を、身体に装着するのと同じようにして折り畳んだ状態を示している。図５は、身体に着けたオムツ５０（例えば使い捨てのオムツ５０）の上から図３におけるオムツカバー３０を装着した時の状態を示す斜視図である。
【００３３】
第二の実施形態のオムツカバー３０は、第一の実施形態のオムツカバー１０を基本とする。すなわち、オムツ５０を身体によりいっそうフィットさせるための種々の部材を、第一の実施形態のオムツカバー１０に対して付加したものである。そこで、付加した部材だけを説明し、第一の実施形態のオムツカバー１０と同様の部材は、同一の符号を付して詳細な説明は省略する。
【００３４】
第二の実施形態のオムツカバー３０は、第一の実施形態のオムツカバー１０に対して、図３では左カバー部３２と、右押え部３３と、左押え部３４とを付加している。図４では、第一の実施形態のオムツカバー１０と同様の部材である右ウェスト部１２、左ウェスト部１３、股間当て部１４、右大腿当て部１５、左大腿当て部１６を、身体に装着するのと同じようにして折り畳んだ状態を示している。つまり、左カバー部３２、右押え部３３と、左押え部３４を付け加えた状態が分かるように図示している。
【００３５】
左カバー部３２は、カバー本体部１１の左側から延びて左ウェスト部１３の外側から腹部にかけてカバーするものである。その大きさは身体の腹部を覆う程度であればよいが、特に限定されない。
なお、前述の左カバー部３２に換えて、図６に示すように右カバー部３１を付加してもよい。右カバー部３１とした場合であっても、前記左カバー部３２と同様の構成となる。すなわち、右カバー部３１は、カバー本体部１１の右側から延びて右ウェスト部１３の外側から腹部にかけてカバーするものである。その大きさは身体の腹部を覆う程度であればよいが、特に限定されない。
【００３６】
右押え部３３は、カバー本体部１１の右側から延びて、右ウェスト部１２、左ウェスト部１３、右カバー部３１、左カバー部３２のいずれかの外側から押えるものである。一方、左押え部３４は、カバー本体部１１の左側から延びて、右ウェスト部１２、左ウェスト部１３、右カバー部３１、左カバー部３２のいずれかの外側から押えるものである。
図３では、右押え部３３と左押え部３４は、左カバー部３２の外側から押えるのであるが、図６に示すように右カバー部３１を備えた場合は、右カバー部３１の外側から押えることになる。また、右押え部３３と左押え部３４は、上下に２つずつ対応するように設けているが、その数は特に限定されない。
【００３７】
また、オムツカバー３０は、図７に示すように右カバー部３１と左カバー部３２のいずれも備えない場合であっても、右押え部３３と左押え部３４を備えてもよい。この場合は、右ウェスト部１２、左ウェスト部１３、股間当て部１４、右大腿当て部１５、左大腿当て部１６を身体に装着した後に、右押え部３３と左押え部３４を右ウェスト部１２、左ウェスト部１３の外側から押えることになる。
【００３８】
また、上記の右押え部３３と左押え部３４は、相互に固定する第三固定具４１を備えている。前記第三固定具４１は、本実施形態ではマジックテープ（登録商標）などのような面ファスナーを使用しているが、特に限定されない。
例えば、上の右押え部３３ａの表地側に面ファスナー４１ａを設け、上の左押え部３４ａの裏地側に面ファスナー４１ｂを前記面ファスナー４１ａに対して着脱可能に設けている。また、下の右押え部３３ｂの表地側に面ファスナー４１ｃを設け、下の左押え部３４ｂの裏地側に面ファスナー４１ｄを前記面ファスナー４１ｃに対して着脱可能に設けている。
なお、第三固定具４１を構成する面ファスナー４１ａ、面ファスナー４１ｂ、面ファスナー４１ｃ、面ファスナー４１ｄの位置や大きさや数は、身体の大きさが異なる人に対して幅広く対応できるように配置することができる。
【００３９】
次に、上記の第二の実施形態のオムツカバー３０における作用について図面を参照して説明する。
第二の実施形態のオムツカバー３０は、人の身体に、例えば使い捨ての紙オムツ５０を装着する。次いで、図３のオムツカバー３０におけるカバー本体部１１を前記紙オムツ５０の上から臀部側に当てる。なお、第一の実施形態のオムツカバー１０と同様の部材における作用は、前述の作用の説明と同様であるので、詳しい説明は省略する。すなわち、カバー本体部１１、右ウェスト部１２、左ウェスト部１３、股間当て部１４、右大腿当て部１５、左大腿当て部１６を身体に装着すると、図２と同様の状態になり、紙オムツ５０を身体にフィットした状態で装着することができる。
【００４０】
さらに、オムツカバー３０は、図２と同様の状態から紙オムツ５０を身体にさらにフィットさせるために、図５に示すように左カバー部３２を左ウェスト部１３の外側から巻いてカバーする。次いで、上の右押え部３３ａと上の左押え部３４ａを、左カバー部３２の外側から押え、第三固定具４１を構成する上の左押え部３４ａの裏地側の面ファスナー４１ｂを上の右押え部３３ａの表地側の面ファスナー４１ａに貼り付けて固定する。
また、下の右押え部３３ｂと下の左押え部３４ｂを、左カバー部３２の外側から押え、第三固定具４１を構成する下の左押え部３４ｂの裏地側の面ファスナー４１ｄを下の右押え部３３ｂの表地側の面ファスナー４１ｃに貼り付けて固定する。これによって、紙オムツ５０は、身体のウェスト回りにおいて、より一層、身体にフィットする。
【００４１】
以上のように、第二の実施形態のオムツカバー３０は、第一の実施形態のオムツカバー１０の場合より、オムツ５０の装着状態（フィット感）をさらに良くすることができる。それに伴って、尿漏れや便漏れをさらに確実に防止することが可能となる。
【産業上の利用可能性】
【００４２】
本発明のオムツカバーによれば、装着したオムツの上から簡単に装着することが可能であり、これによって、オムツの装着状態（フィット感）を向上させて、尿漏れや便漏れの防止性を高めている。このため、使い捨ての紙オムツ、使い捨てではないレンタルオムツ、その他の形態のオムツなどに対し幅広く、利用可能であり、オムツの使用者は勿論、介護者にとっても利便性の向上に資する。
【符号の説明】
【００４３】
１０  オムツカバー（第一の実施形態の）
１１  カバー本体部
１２  右ウェスト部
１３  左ウェスト部
１４  股間当て部
１５  右大腿当て部
１６  左大腿当て部
１７  ギャザー
２１  第一固定具
２１ａ  面ファスナー                ２１ｂ  面ファスナー
２２  第二固定具
２２ａ  面ファスナー                ２２ｂ  面ファスナー
２２ｃ  面ファスナー                ２２ｄ  面ファスナー
３０  オムツカバー（第二の実施形態の）
３１  右カバー部
３２  左カバー部
３３  右押え部
３３ａ  上の右押え部                ３３ｂ  下の右押え部
３４  左押え部
３４ａ  上の左押え部                ３４ｂ  下の左押え部
４１  第三固定具
４１ａ  面ファスナー                ４１ｂ  面ファスナー
４１ｃ  面ファスナー                ４１ｄ  面ファスナー
５０  オムツ
【図１】
2016028617.tif 000003
【図２】
2016028617.tif 000004
【図３】
2016028617.tif 000005
【図４】
2016028617.tif 000006
【図５】
2016028617.tif 000007
【図６】
2016028617.tif 000008
【図７】
2016028617.tif 000009